(57)【要約】【課題】    磁気治療効果を有する磁気治療器を装着した衣料品を提供する。【解決手段】  凸状曲面部を形成した外面と、曲面状の内面を形成した磁石室を有し、磁石室内にはその内部で自由に回転可能な大きさの球状磁石が配置され、凸状曲面部を形成した面とは反対側の外面に、磁石室を封鎖するとともに衣料品との間で熱融着接合する熱融着性フィルムが配置され、熱融着性フィルムが高周波溶接によって衣料品の人体に面する側に熱融着された磁気治療器付衣料品。【選択図】  図１
0003140811.tif 000002
【実用新案登録請求の範囲】
【請求項１】
凸状曲面部を形成した外面と、曲面状の内面を形成した磁石室を有し、磁石室内にはその内部で自由に回転可能な大きさの球状磁石が配置され、凸状曲面部を形成した面とは反対側の外面に、磁石室を封鎖するとともに衣料品との間で熱融着接合する熱融着性フィルムが配置され、熱融着性フィルムが高周波溶接によって衣料品の人体に面する側に熱融着されたことを特徴とする磁気治療器付衣料品。
【請求項２】
球状磁石は、中心を通過する軸に沿って着磁されたものであることを特徴とする請求項１記載の磁気治療器付衣料品。
【請求項３】
衣料品は、手袋、靴下、サポータ、ベスト、シャツのいずれかであることを特徴とする請求項１または２記載の磁気治療器付衣料品。
【考案の詳細な説明】
【技術分野】
【０００１】
本考案は、筋肉のこり、痛み等を和らげ、血流促進、健康増進の目的で使用される磁気治療器付衣料品に関する。
【背景技術】
【０００２】
磁力による血流促進、健康増進等の目的で使用される磁気治療器が知られている。これらの磁気治療器は、身体の各部に装着するための装着具に取り付けられたり、磁石を貼着用部材によって貼り付けて磁気の作用を利用するものが知られている。
また、小室体の内部空洞内に円盤状の磁石を移動自在に封入したものを身体の一部に貼付する磁気治療器が提案されている。（例えば、特許文献１参照）。
しかしながら、円盤状の磁石であるので小室内で中心軸と垂直方向への移動は可能であるのみで、人体に対して様々な方向に変動する磁場を与えるものではなかった。
また、磁気治療器を衣料品に取り付けたものが提案されている。ところが、アイロンによって熱融着を行うものであり、熱融着部の強度が十分なものが得られず、装着の際の伸縮、あるいは洗濯に耐えるものではなかった(例えば、特許文献２参照)。
【特許文献１】特開２００３−１４４５５８号公報
【特許文献２】登録実用新公報第３０６９９７７号
【考案の開示】
【考案が解決しようとする課題】
【０００３】
本考案は、人体に対して様々な方向に変動する変動磁場を与えることができる磁気治療器を装着した衣料品を提供することを課題とするものであり、直に人体に粘着テープ等で貼り付けることが不要で、磁気治療の効果を長期に得ることができる磁気治療器付衣料品を提供することを課題とするものである。
【課題を解決するための手段】
【０００４】
本考案は、凸状曲面部を形成した外面と、曲面状の内面を形成した磁石室を有し、磁石室内にはその内部で自由に回転可能な大きさの球状磁石が配置され、凸状曲面部を形成した面とは反対側の外面に、磁石室を封鎖するとともに衣料品との間で熱融着接合する熱融着性フィルムが配置され、熱融着性フィルムが高周波溶接によって衣料品の人体に面する側に熱融着された磁気治療器付衣料品である。
球状磁石は、中心を通過する軸に沿って着磁されたものである前記の磁気治療器付衣料品である。
衣料品は、手袋、靴下、サポータ、ベスト、シャツのいずれかである前記の磁気治療器付衣料品である。
【考案の効果】
【０００５】
本考案によれば、球状磁石が自由に回転可能な曲面状の底面を有する磁石室内に配置されており、磁石室の曲面状の底面を形成した面とは反対側の外面に、磁石室を封鎖する熱融着性フィルムの貼着部を有し、熱融着性フィルムが高周波溶接によって衣料品の繊維と磁石室とを熱融着したので、装着時の繊維の引っ張り、洗濯等によっても衣料品の表面から脱落することなく安定した動作が期待できる磁気治療器付衣料品を提供できる。
【考案を実施するための最良の形態】
【０００６】
以下に、本考案を図面を参照して説明する。
図１は、本考案の磁気治療器付衣料品である磁気治療器付サポータを説明する図である。  サポータ１Ａ、１Ｂは、ひじ、ひざ等に装着される伸縮性の素材から作製されており、中央部２Ａ、２Ｂを中心にしてひじ、ひざの動きに追従して円滑に動くとともに伸縮自在である。
磁気治療器３の複数個がサポータの人体に面する側に熱融着性部材を用いた高周波溶接によって接合されている。
磁気治療器３は、サポータ１Ａ，１Ｂの内側に接合されているので人体に対して磁場を与えるとともに、磁気治療器３の表面の凸状曲面部は人体に対して指圧効果を与えることができる。
また、磁気治療器３は熱融着によってサポータ１Ａ，１Ｂの繊維と接合しているので伸縮、あるいは洗濯等によってもサポータから脱落することがなく、磁気治療効果を発揮することができる。
【０００７】
図２は、本考案の磁気治療器付衣料品に装着する磁気治療器を説明する図である。
図２（Ａ）は、磁気治療器を説明する斜視図であり、図２（Ｂ）は平面図、図２（Ｃ）は、図２（Ｂ）において、Ａ−Ａ’線で切断した断面図である。
図２（Ａ）および図２（Ｂ）は、透明な材料で作製した磁気治療器３を説明する図であり、磁気治療器３の磁石室４は凸状曲面部５を有しており、つば状部６およびその背面の貼着部７から形成されている。磁石室４の内部には、球状磁石８が配置されている。
【０００８】
磁石室４の凸状曲面部５のその内面には凹状内面部９および曲面状壁面１０が形成されている。その結果、貼着部７に熱融着性フィルム１１を粘着剤で貼付して、開口部を封鎖すると球状磁石８は磁石室４の内部を自由に移動するものとすることができる。
また、開口部を封鎖する熱融着性フィルム１１を高周波溶接によって軟化あるいは溶融し、更に押圧時の圧力によって衣料品１を構成する繊維の微細な空間に浸透させると熱入着性フィルムを繊維と一体化させることができる。また、熱融着性フィルムには、ポリ塩化ビニル、ポリウレタン等の合成樹脂フィルムを用いることができる。
【０００９】
本考案の磁気治療器付衣料品は、熱融着性フィルムを使用して高周波溶接によって磁気治療器を衣料品に接合したので、磁気治療器は衣料品の繊維と強固に接合される結果、磁気治療器付衣料品の装着時の引張り、装着した後の人体の動きによって磁気治療器がはがれる等の問題が生じることはない。
本考案の磁気治療器付衣料品は、人体に面する側に磁気治療器３が接合されているので、磁気治療器３の凸状曲面部５が人体に押し当てられることによってつぼ刺激等の指圧効果を与えることができる。また、人体の動きに応じて、磁石室４内を自由に移動することによって人体に対して変動磁場を作用させることができる。
【００１０】
磁石室４を構成する部材は、ポリカーボネート等の合成樹脂を成形することによって製造することができる。磁石室４に配置する球状磁石８としては、マンガンアルミニウム磁石、フェライト磁石、あるいはネオジム磁石、サマリウム磁石等の希土類磁石が挙げられるが、特に磁力が大きなネオジム磁石等の希土類磁石を用いることが好ましい。
【００１１】
磁石室４は、内径４ないし６ｍｍ、高さ３ないし５ｍｍとすることができる。磁石室の内径を５ｍｍ、高さを３．８ｍｍとした場合には、球状磁石としては、直径１．０ｍｍ〜２．０ｍｍのものを使用することができる。磁束密度としては、いずれの大きさの球状磁石を使用する場合にも１３５ｍＴ〜１７５ｍＴのものを利用することが好ましい。
磁石室の大きさを一定にして、球状磁石の直径を変えた場合には、直径の小さな磁石ほど、小さな力によって変位が大きくなるので変動磁場が得られやすくなる。変化が大きな変動磁場を求める場合には、径の小さな球状磁石を使用することができ、また変化が小さな変動磁場を求める場合には径の大きな球状磁石を使用することができる。
【００１２】
図３は、本考案の磁気治療器付衣料品が磁気医療器付靴下である場合を説明した図であり、平面図である。
本考案の磁気治療器付靴下２０は、かかとなしの５本指靴下である例を示しており、その内側の人体に面する側の５本の指の付け根の間の相当位置２１Ａ〜２１Ｄ、および足首の周囲部分の相等位置２２に磁気治療器４を配置した例を示しており、磁気治療器４によって、指の付け根部分、足首の周囲部分に変動磁場が与えられるとともに、磁気治療器４の凸状曲面部が、足の甲のつぼを刺激する効果も得ることができる。
【００１３】
図４は、本考案の磁気治療器付衣料品が磁気医療器付手袋である場合を説明した図であり、左手用のものを手のひらの側から見た平面図である。
磁気治療器付手袋３０は、その内側の５本の指の付け根の間の相当位置３１Ａ〜３１Ｃ、および手のひら部分の相当位置３２に磁気治療器３を配置した例を示している。これらの部位に変動磁場が与えられるとともに、磁気治療器の凸状曲面部が手のひらのつぼを刺激する効果も得ることができる。
【００１４】
図５は、本考案の磁気治療器付衣料品が磁気医療器付ベストである場合を説明した図であり、図５（Ａ）は襟なしのもの、図５（Ｂ）は襟付きのものの正面図である。
磁気治療器付ベスト４１Ａ，４１Ｂには、その内側の面に磁気治療器３を配置したものであって、図５（Ａ）に示すものは、肩相当位置４２、および腹部相等位置４３に配置されており、図５（Ｂ）に示すものは、肩相当位置４２、腹部相等位置４３、および襟４４に配置されており、人体の所定の部位に対して変動磁場を作用させることが可能となる。
【産業上の利用可能性】
【００１５】
本考案の磁気治療器付衣料品は、球状磁石を配置した磁石室を封鎖する熱融着性フィルムの貼着部において熱融着性フィルムが高周波溶接によって衣料品の繊維と磁石室とを熱融着したものであるので、磁気治療器付衣料品装着時の繊維の引っ張り、洗濯等によっても衣料品の表面から脱落することなく、人体に変動磁場を与えるとともに、磁石室に凸状曲面を設けたので人体に対して指圧効果も与えることができる。
【図面の簡単な説明】
【００１６】
【図１】図１は、本考案の磁気治療器付衣料品である磁気治療器付サポータを説明する図である。
【図２】図２は、本考案の磁気治療器付衣料品に装着する磁気治療器を説明する図である。
【図３】図３は、本考案の磁気治療器付衣料品が磁気医療器付靴下である場合を説明した図である。
【図４】図４は、本考案の磁気治療器付衣料品が磁気医療器付手袋である場合を説明した図である。
【図５】図５は、本考案の磁気治療器付衣料品が磁気医療器付ベストである場合を説明した図である。
【符号の説明】
【００１７】
１…磁気治療器付サポータ、２…中央部、３…磁気治療器、４…磁石室、５…凸状曲面部、６…つば状部、７…貼着部、８…球状磁石、９…凹状内面部、１０…曲面状壁面、１１…熱融着性フィルム、２０…磁気治療器付靴下、２１Ａ〜２１Ｄ…指の付け根の間の相等位置、２２…足首の周囲部分の相等位置、３１…磁気治療器付手袋、３１Ａ〜３１Ｄ…指の付け根の間の相当位置、３２…手のひら部分の相等位置、４１Ａ，４１Ｂ…磁気治療器付ベスト、４２…肩相等位置、４３…腹部相当位置、４４…襟
【図１】
0003140811.tif 000003
【図２】
0003140811.tif 000004
【図３】
0003140811.tif 000005
【図４】
0003140811.tif 000006
【図５】
0003140811.tif 000007